【事件の表示】
　特願２０００−　　９９９２「映像システム」拒絶査定に対する審判事件［平成１２年　６月１６日出願公開、特開２０００−１６５７２８］について、次のとおり審決する。
【結　論】
　本件審判の請求は、成り立たない。
【理　由】
１．手続の経緯、本願発明
　本願は、平成５年２月１２日に出願した特願平５−４６１４７号の一部を平成１２年１月１３日に新たな特許出願としたものであって、本願の発明は、平成１４年５月１日付け、平成１５年４月１０日付けおよび平成１５年９月５日付け手続補正書により補正された明細書及び図面の記載からみて、その特許請求の範囲の請求項１に係る発明（以下「本願発明」という。）は、次のとおりのものである。
「【請求項１】映像信号を出力する撮像手段と、
　記録メディアを装着可能な差し込み口と、
　上記差し込み口に装着された記録メディアに上記撮像手段から出力される上記映像信号を記憶する記憶手段と、
　上記撮像手段から出力される上記映像信号を筐体外面部に表示する表示手段と、
　上記映像信号を所定の規格の信号形態に変換して伝送路に出力し、かつ上記所定の規格の信号を受信する伝送手段とを本体に内蔵した電子スチルカメラと、
　上記伝送路から上記映像信号を受け取りかつ上記伝送路に上記所定の規格の信号を送信するパーソナルコンピュータとから成
り
　
上記電子スチルカメラの伝送手段で受信した信号を筐体外面部に表示すること
　
２．引用例
　これに対して、当審における拒絶の理由に引用された特開平５−２６６４号公報（以下「引用例」という。）には、「Ｉ／Ｏカード」（発明の名称）に関し、図面と共に次の（１）ないし（４）のとおりの記載がある。
（１）「【実施例】次に、本発明について図面を参照しながら説明する。図１は、本発明によるＩ／Ｏカードを固体メモリカメラに適用した例を示す基本構成ブロック図である。被写体像は、撮影レンズ１１を介してＣＣＤ等の撮像回路１２に結像され、そこで電気信号に変換された後、Ａ／Ｄコンバータ１３によりデジタル信号に変換されて１フレーム分の画像データとしてＲＡＭ１４に記録される。再生時には、ＲＡＭ１４から読み出された画像データは、Ｄ／Ａコンバータ１５でアナログ信号に変換され、ビデオエンコーダ１６により通常のビデオ信号に変換されて出力される。一方、カメラ本体１に装填されるメモリカード２や、コンピュータ等の外部機器４に画像データを送出するときには、ＲＡＭ１４から読み出された画像データが圧縮／伸長回路１７で直交変換処理され、圧縮画像データとして、バス切換部１８に送出される。圧縮／伸長回路１７としてはＪＰＥＧ（Ｊｏｉｎｔ　ＰｈｏｔｏｇｒａｐｈｉｃＥｘｐｅｒｔ　Ｇｒｏｕｐ）等の規格に定められている回路が用いられる。システムコントロール回路１９は、本カメラの動作全体を制御する回路で、例えば、バス切換部１８の切り換え制御や表示部２０の表示制御を行う。表示部２０は、ＬＣＤ等の表示素子を有し、カメラ動作状態等を表示する。操作部２１は、本カメラの操作指示信号を出力するための操作部であり、タクトスイッチ等から成る。バス切換部１８は、システムコントロール回路１９からのバス切換信号によって圧縮／伸長回路１７およびカードインタフェース（Ｉ／Ｆ）部２２をシステムコントロール回路１９に切換接続する。」（公報２頁右欄４２行〜３頁左欄１８行）
（２）「図２には、図１に示す実施例のカメラおよびカード（Ｉ／Ｏカードとメモリカード）の簡略化された斜視図が示されている。カメラ本体１には、Ｉ／Ｏカード３のコネクタ部３Ａまたはメモリカード２のコネクタ部２Ａが挿入、装填される装填スロット１０が設けられ、Ｉ／Ｏカード３には、更に、メモリカード２のコネクタ２Ａが挿入、装填される装填スロット３０が設けられている。Ｉ／Ｏカード３とメモリカード２のそれぞれのコネクタ部３Ａと２Ａは、同一形状、配置である。Ｉ／Ｏカード３には外部機器４との間でデータ授受を行うバスケーブル（ＳＣＳＩ，ＧＰＩＢ，ＲＳ２３２Ｃ等のフォーマットによる）５が接続されている。図１に示すように、カメラ本体１には、Ｉ／Ｏカード３を装填する装填スロット１０が設けられるとともに、装填されたＩ／Ｏカード３とバス切換部１８との間にはカードインタフェース部２２が設けられ、カメラ本体１側と、外部機器４やメモリカード２間のデータ授受に適合するデータフォーマット変換等の処理が行われる。メモリカード２には、カメラ本体１側のカードインタフェース部２２およびＩ／Ｏカード３のＩ／Ｏカードピン３１１とカードインタフェース部３１２を介して送出される圧縮画像データが記録され、メモリカード２から読み出された画像データは、逆の経路を経、バス切換部１８を介して圧縮／伸長回路１７に送出され、伸長処理が施されてＲＡＭ１４に記録される。」（公報３頁左欄１９行〜４３行）
（３）「Ｉ／Ｏカード３は、メモリカード２と同一位置のピンをもつカードで、カメラ本体１側のカードインタフェース部２２から供給される画像データをＩ／Ｏカードピン３１１で受け、所定のフォーマットに変換し、ケーブル５を介してコンピュータ等の外部機器４に送出する。これら画像データは、また外部機器４に接続されたメモリに記録することもできる。一方、外部機器４から供給される画像データは、ケーブル５を介してＩ／Ｏカード３に送出され、カードインタフェース部２２を介してカメラ本体１側のフォーマットに適合するデータに変換されて、バス切換部１８に送出される。更に、カメラ本体１からの画像データは、カードインタフェース部３１２を介してメモリカード２に記録され、逆にメモリカード２から読みだした画像データは、カードインタフェース部３１２、Ｉ／Ｏカードピン３１１を介してカメラ本体１側に供給される。」（公報３頁左欄４４行〜右欄９行）
（４）「上述の実施例では、メモリカードからの画像データをカメラ本体側に送出し、所定処理を施した後、外部機器に送出する例について説明しているが、パーソナルコンピュータ等の外部機器からのデータについても同様にメモリカード側に送出することも勿論可能であり、また、本発明は、上述固体メモリカメラに限定されず、他の任意の機器（ワープロ等のメモリカードを使用する情報機器）にも適用可能であることは明らかである。」（公報５頁左欄４行〜１２行）
　
３．対比
　本願発明と引用例に記載の発明とを対比すると、次のことが認められる。
　引用例の発明は「Ｉ／Ｏカード」に係るものであるが、このＩ／Ｏカードは、固体メモリカメラ等の機器に装填され、コンピュータ等の外部機器との間でのデータ授受を可能とするものであるから、引用例の固体メモリカメラと外部機器とは、本願発明の「映像システム」に一応対応する。
　したがって、引用例の発明における事項と本願発明における事項とを対比すると、次に掲げる（１）ないし（４）の事項がそれぞれ相当する。
（１）引用例に記載された発明の「画像データ」、「撮像回路」、「メモリカード」、「ケーブル」が、それぞれ本願発明における「映像信号」、「撮像手段」、「記録メディア」、「伝送路」に相当することは明らかである。
（２）引用例には、「被写体像は、撮影レンズ１１を介してＣＣＤ等の撮像回路１２に結像され、そこで電気信号に変換されて１フレーム分の画像データとしてＲＡＭ１４に記録される。……ＲＡＭ１４から読み出された画像データが圧縮／伸長回路１７で直交変換処理され、圧縮画像データとして、バス切換部１８に送出される。」（上記２．（１）参照）及び「カメラ本体１には、Ｉ／Ｏカード３を装填する装填スロット１０が設けられるとともに、装填されたＩ／Ｏカード３とバス切換部１８との間にはカードインタフェース部２２が設けられ、カメラ本体１側と、外部機器４やメモリカード２間のデータ授受に適合するデータフォーマット変換等の処理が行われる。メモリカード２には、カメラ本体１側のカードインタフェース部２２およびＩ／Ｏカード３のＩ／Ｏカードピン３１１とカードインタフェース部３１２を介して送出される圧縮画像データが記録」（上記２．（２）参照）と記載されているので、引用例に記載された発明は、本願発明の「記録メディアに上記撮像手段から出力される上記映像信号を記憶する記憶手段」に相当する構成を備えている。
（３）引用例には、「コンピュータ等の外部機器４に画像データを送出するときには、ＲＡＭ１４から読み出された画像データが圧縮／伸長回路１７で直交変換処理され、圧縮画像データとして、バス切換部１８に送出される。」（上記２．（１）参照　）、「カメラ本体１には、Ｉ／Ｏカード３を装填する装填スロット１０が設けられるとともに、装填されたＩ／Ｏカード３とバス切換部１８との間にはカードインタフェース部２２が設けられ、カメラ本体１側と、外部機器４やメモリカード２間のデータ授受に適合するデータフォーマット変換等の処理が行われる。」（上記２．（２）参照）及び「Ｉ／Ｏカード３は、メモリカード２と同一位置のピンをもつカードで、カメラ本体１側のカードインタフェース部２２から供給される画像データをＩ／Ｏカードピン３１１で受け、所定のフォーマットに変換し、ケーブル５を介してコンピュータ等の外部機器４に送出する。」（上記２．（３）参照）と記載されているので、引用例に記載された発明は、本願発明の「映像信号を所定の規格の信号形態に変換して伝送路に出力し、かつ上記所定の規格の信号を受信する伝送手段とを本体に内蔵した電子スチルカメラ」に相当する構成を備えている。
（４）引用例には、「Ｉ／Ｏカード３には外部機器４との間でデータ授受を行うバスケーブル（ＳＣＳＩ，ＧＰＩＢ，ＲＳ２３２Ｃ等のフォーマットによる）５が接続されている。」（上記２．（２）参照）及び「パーソナルコンピュータ等の外部機器」（上記２．（４）参照）と記載されているので、引用例に記載された発明は、本願発明の「伝送路から上記映像信号を受け取りかつ上記伝送路に上記所定の規格の信号を伝送するパーソナルコンピュータ」に相当する構成を備えている。
　よって、本願発明と引用例に記載された発明は、
「映像信号を出力する撮像手段と、記録メディアに上記撮像手段から出力される上記映像信号を記憶する記憶手段と、上記映像信号を所定の規格の信号形態に変換して伝送路に出力し、かつ上記所定の規格の信号を受信する伝送手段とを本体に内蔵した電子スチルカメラと、上記伝送路から上記映像信号を受け取りかつ上記伝送路に上記所定の規格の信号を送信するパーソナルコンピュータとから成ることを特徴とする映像システム。」
である点で一致し、以下の点で相異している。
　相違点１
　本願発明は、電子スチルカメラ（本体）が「記録メディアを装着可能な差し込み口」を備え、該差し込み口に装着された記録メディアに上記撮像手段から出力される上記映像信号を記憶するのに対して、引用例では、Ｉ／Ｏカードが「装填スロット」を備え、該装填スロットに装填されたメモリカードに画像データを記録する点。
　相違点２
　本願発明は、「撮像手段から出力される上記映像信号を筐体外面部に表示する表示手段」を備える電子スチルカメラであるのに対して、引用例には、そのことが記載されていない点。
　相違点３
　本願発明は、「電子スチルカメラの伝送手段で受信した信号を筐体外面部に表示する」のに対して、引用例には、そのことが記載されていない点。
　
４．当審の判断
　上記相違点１について検討する。
　引用例に記載された発明は、メモリカードやＩ／Ｏカードを装填するカメラ本体側の装填スロットを１つにすることによりカメラ本体自体の構成を簡略化するものであり（段落（００１６）参照）、カメラ本体自体に各カード専用のスロットを個別に設けることが示唆されている。一方、記録メディアを当該記録メディア専用の差し込み口に装着する構成とすることは本願発明の従来例等に記載されているように周知であるから、引用例におけるＩ／Ｏカードのメモリカード装填スロットにメモリカードを装填し、当該装填されたメモリカードに画像データを記録する構成に代えて、カメラ本体にメモリカード専用の装填スロットを設け、当該装填スロットに装填されたメモリカードに画像データを記録する構成とすることは当業者が容易になし得ることといえる。
　したがって、電子スチルカメラ（本体）が備える「記録メディアを装着可能な差し込み口」に装着された記録メディアに映像信号を記憶する構成とすることは当業者が容易になし得ることといえる。
　上記相違点２について検討する。
  電子スチルカメラにおいて、撮像手段から出力される映像信号を表示するための表示手段を筐体外面部に設けることは、電子スチルカメラの構成として周知の事項である（必要ならば、当審の拒絶の理由で引用された特開平３−１２３２７７号公報、特開平４−２４９４８７号公報、特開平４−３２１３８９号公報、特開平４−３５４２７４号公報等参照）。
　よって、引用例に記載された発明において、多数の人がモニタできるように、撮像回路から出力される画像データを表示する表示手段を筐体外面部に備える構成とすることは当業者が適宜なしえることといえる。
　したがって、「撮像手段から出力される映像信号を筐体外面部に表示する表示手段」を備える電子スチルカメラとすることは当業者が適宜なしえることといえる。
　上記相違点３について検討する。
  上記相違点２の検討でも述べたように、本願発明が、映像信号を筐体外面部に表示する表示手段を備える構成を採用したことに伴い、伝送手段で受信した映像信号を筐体外面部の表示手段に表示する程度のことは当業者が当然考慮すべき設計的事項にすぎない。
　したがって、「電子スチルカメラの伝送手段で受信した信号を筐体外面部に表示する」構成とすることは当業者が当然考慮すべき設計的事項にすぎない。
　そして、それら相違点を総合的に検討しても当業者が容易に推考し得たものであり、本願発明の構成に基づく効果についてみても予測し得る範囲内のもので格別顕著なものがあるとはいえない。
　
５．むすび
　以上、本願発明は、引用例に記載の発明及び周知事項に基づいて当業者が容易に発明をすることができたものであるから、特許法第２９条第２項の規定により特許を受けることができない。
　よって、結論のとおり審決する。